(57)【要約】    【課題】  かご台車又はその他の底盤部上の起立構造部の内側に物品を支持し得る物品支持体と物品支持体用カバー体を用いて形成し得る回収物品又はその他の物品を収容して取出し得る物品収容器及びその物品支持体用カバー体の提供。    【解決手段】  底盤部Ｓ１上の起立構造部Ｓ３の内側に物品を支持し得る物品支持体Ｓと物品支持体用カバー体Ｃからなる。物品支持体用カバー体Ｃは、シート状材料からなる側周部Ｃ２と天覆部Ｃ１により形成された下方開口の箱形状をなす。側周部Ｃ２に物品取出用開閉部Ｃ４と物品投入用開口部Ｃ６を有する。物品取出用開閉部Ｃ４が閉じた状態で物品投入用開口部Ｃ６から物品を内部に投入し得、物品取出用開閉部Ｃ４を開いて底盤部Ｓ１上の起立構造部Ｓ３の内側に支持された物品を取り出し得る。【選択図】      図３
2015160625.tif 000002
【特許請求の範囲】
【請求項１】
底盤部と、その底盤部に対し起立した起立構造部であって少なくとも水平方向に相対する起立部を有するものを備え、底盤部上の起立構造部の内側に物品を支持し得る物品支持体における底盤部から起立構造部の外側及び上側まで覆うためのカバー体であって、
シート状材料からなる側周部と天覆部により形成された下方開口の箱形状をなし、
前記側周部に、対象とする物品支持体の底盤部から所定の上方部まで開閉し得る物品取出用開閉部と、対象とする物品支持体の底盤部よりも上方に位置する物品投入用開口部を有し、
前記物品支持体を覆って前記物品取出用開閉部が閉じた状態で、物品投入用開口部から物品を内部に投入し得、
前記物品支持体を覆った状態で物品取出用開閉部を開閉し得ると共に物品取出用開閉部を開いて底盤部上の起立構造部の内側に支持した物品を取り出し得ることを特徴とする物品支持体用カバー体。
【請求項２】
上記側周部における物品投入用開口部よりも下方に、内部のうち少なくとも対象とする物品支持体の底盤部上を外部から視認し得る内方視認部を有する請求項１記載の物品支持体用カバー体。
【請求項３】
側周部の上端部には物品取出用開閉部が及ばない請求項１又は２記載の物品支持体用カバー体。
【請求項４】
物品取出用開閉部に物品投入用開口部を有する請求項１乃至３の何れか１項に記載の物品支持体用カバー体。
【請求項５】
平面視方形状の箱形状をなす請求項１乃至４の何れか１項に記載の物品支持体用カバー体。
【請求項６】
底盤部と、その底盤部に対し起立した起立構造部であって少なくとも水平方向に相対する起立部を有するものを備え、底盤部上の起立構造部の内側に物品を支持し得る物品支持体と、請求項１乃至５の何れか１項に記載の物品支持体用カバー体からなる物品収容器。
【請求項７】
物品支持体の底盤部が平面視方形状をなす請求項６記載の物品収容器。
【請求項８】
物品支持体の底盤部が、載置面上を転動し得る転動体によって支持されている請求項６又は７記載の物品収容器。
【発明の詳細な説明】
【技術分野】
【０００１】
本発明は、ペットボトル、古紙、その他の回収対象物品等を収容するための物品収容器及びその物品収容器を形成するための物品支持体用カバー体に関する。
【背景技術】
【０００２】
実用新案登録第３１２３８０９号公報には、かご台車のかご部の頂面に形成される開口部を覆う方形のシート体により形成され、四つの隅部に互いに隣り合う隅部同士が取り外し可能に係止可能な係止部材がそれぞれ付設されており、且つ前記シート体の少なくとも一面に使用するかご台車の用途を示す識別表示がなされているかご台車のカバーの発明が開示されている。
【０００３】
この発明は、かご台車にカバーを用いることにより、かご台車に収容した荷物の発送日、荷物の種類、搬送先などによりそれぞれ使用目的を一見して判別することを可能にするためのものであり、かご台車をより効果的に用いるための一つの考え方を示すものであるが、回収物品又はその他の物品を収容して取出し得る物品収容器を形成し得るものではない。
【先行技術文献】
【特許文献】
【０００４】
【特許文献１】実用新案登録第３１２３８０９号公報
【発明の概要】
【発明が解決しようとする課題】
【０００５】
本発明は、かご台車又はその他の底盤部上の起立構造部の内側に物品を支持し得る物品支持体と物品支持体用カバー体を用いて形成し得る回収物品又はその他の物品を収容して取出し得る物品収容器、及び、その物品支持体用カバー体を提供することを目的とする。
【課題を解決するための手段】
【０００６】
本発明は、次のように表すことができる。
【０００７】
(1) 底盤部と、その底盤部に対し起立した起立構造部であって少なくとも水平方向に相対する起立部を有するものを備え、底盤部上の起立構造部の内側に物品を支持し得る物品支持体における底盤部から起立構造部の外側及び上側まで覆うためのカバー体であって、
シート状材料からなる側周部と天覆部により形成された下方開口の箱形状をなし、
前記側周部に、対象とする物品支持体の底盤部から所定の上方部まで開閉し得る物品取出用開閉部と、対象とする物品支持体の底盤部よりも上方に位置する物品投入用開口部を有し、
前記物品支持体を覆って前記物品取出用開閉部が閉じた状態で、物品投入用開口部から物品を内部に投入し得、
前記物品支持体を覆った状態で物品取出用開閉部を開閉し得ると共に物品取出用開閉部を開いて底盤部上の起立構造部の内側に支持した物品を取り出し得ることを特徴とする物品支持体用カバー体。
【０００８】
底盤部と、その底盤部に対し起立した起立構造部であって少なくとも水平方向に相対する起立部を有するものを備え、底盤部上の起立構造部の内側に物品を支持し得る物品支持体（例えば、平面視方形状をなす底盤部が自在車輪又はその他の転動体により支持されており、底盤部の外周縁のうち三辺に沿って一定高さの柵状の起立部が互いに隣接して設けられて起立構造部を構成する所謂かご台車）を、その底盤部から起立構造部の外側及び上側までカバー体により覆うことにより、物品収容器として使用することができる。
【０００９】
この物品収容器は、カバー体の側周部に、対象とする物品支持体の底盤部から所定の上方部まで開閉し得る物品取出用開閉部と、対象とする物品支持体の底盤部よりも上方に位置する物品投入用開口部を有し、物品取出用開閉部が閉じた状態で、物品投入用開口部から内部に投入された物品を、底盤部上の起立構造部の内側に支持した状態で収容し得、物品取出用開閉部を開いて底盤部上の起立構造部の内側に支持した物品を取り出し得る。
【００１０】
(2) 上記側周部における物品投入用開口部よりも下方に、内部のうち少なくとも対象とする物品支持体の底盤部上を外部から視認し得る内方視認部を有する(1)記載の物品支持体用カバー体。
【００１１】
側周部の物品投入用開口部よりも下方に有する内方視認部を通じて、内部のうち少なくとも対象とする物品支持体の底盤部上を外部から視認し得るので、対象外の投入物が投入されることを抑止すると共に物品取出用開閉部を開かずに収容状態を確認することができる。
【００１２】
(3) 側周部の上端部には物品取出用開閉部が及ばない(1)又は(2)記載の物品支持体用カバー体。
【００１３】
カバー体の少なくとも側周部の上端部には物品取出用開閉部が及ばないので、物品取出用開閉部を開いた状態において物品支持体からカバー体が脱離し易くなることが防がれる。
【００１４】
(4) 物品取出用開閉部に物品投入用開口部を有する(1)乃至(3)の何れかに記載の物品支持体用カバー体。
【００１５】
(5) 平面視方形状の箱形状をなす(1)乃至(4)の何れかに記載の物品支持体用カバー体。
【００１６】
(6) 底盤部と、その底盤部に対し起立した起立構造部であって少なくとも水平方向に相対する起立部を有するものを備え、底盤部上の起立構造部の内側に物品を支持し得る物品支持体と、(1)乃至(5)の何れかに記載の物品支持体用カバー体からなる物品収容器。
【００１７】
(7) 物品支持体の底盤部が平面視方形状をなす(6)記載の物品収容器。
【００１８】
(8) 物品支持体の底盤部が、載置面上を転動し得る転動体によって支持されている(6)又は(7)記載の物品収容器。
【発明の効果】
【００１９】
本発明の物品支持体用カバー体によれば、底盤部と、その底盤部に対し起立した起立構造部であって少なくとも水平方向に相対する起立部を有するものを備え、底盤部上の起立構造部の内側に物品を支持し得る物品支持体（例えば、所謂かご台車）を、その底盤部から起立構造部の外側及び上側までカバー体により覆うことにより、物品収容器として使用することができる。
【００２０】
この物品収容器、すなわち本発明の物品収容器は、カバー体の側周部に、対象とする物品支持体の底盤部から所定の上方部まで開閉し得る物品取出用開閉部と、対象とする物品支持体の底盤部よりも上方に位置する物品投入用開口部を有し、物品取出用開閉部が閉じた状態で、物品投入用開口部から内部に投入された物品を、底盤部上の起立構造部の内側に支持した状態で収容し得、物品取出用開閉部を開いて底盤部上の起立構造部の内側に支持した物品を取り出し得る。
【図面の簡単な説明】
【００２１】
【図１】物品支持体用カバー体の斜視図である。
【図２】かご台車（物品支持体）の斜視図である。
【図３】物品取出用開閉部を閉じた状態の物品収容器の斜視図である。
【図４】物品取出用開閉部を開いた状態の物品収容器の斜視図である。
【発明を実施するための形態】
【００２２】
[1] 本発明の実施の形態を、図面を参照しつつ説明する。
【００２３】
図面は何れも本発明の実施の形態の一例としての物品支持体用カバー体及び物品収容器に関するものである。
【００２４】
この物品収容器Ａは、ペットボトル回収器として用いられるものであり、物品支持体Ｓと、物品支持体用カバー体Ｃからなる。
【００２５】
この例における物品支持体Ｓは、所謂かご台車である。すなわち、平面視方形状をなす平板状の底盤部Ｓ１の四隅部が自在車輪Ｓ２により支持され、底盤部Ｓ１の外周縁のうち三辺に沿って左右側部及び背部を構成する一定高さの柵状の起立部Ｓ３ａが互いに隣接して設けられて起立構造部Ｓ３を構成してなり、底盤部Ｓ１上の起立構造部Ｓ３の内側（三辺に沿う各起立部Ｓ３ａにより囲まれた内側）に物品を支持し得る。この例における対象物品はペットボトルである。
【００２６】
左右側部及び背部を構成する起立部Ｓ３ａからなる起立構造部Ｓ３は、上方に開放し、前部には、左右に開閉可能な左右開閉枠部Ｓ４・Ｓ５が設けられている。何れの図においても、左右開閉枠部Ｓ４・Ｓ５は、閉じた状態が示されている。左開閉枠部Ｓ４は、底盤部Ｓ１上から起立部Ｓ３ａの６割程度の高さまで達し、左側の起立部Ｓ３ａの前縁部に対し前方左側に回動して開閉し得るように支持されている。右開閉枠部Ｓ５は、左開閉枠部Ｓ４と対称状をなす。すなわち右開閉枠部Ｓ５は、底盤部Ｓ１上から起立部Ｓ３ａの６割程度の高さまで達し、右側の起立部Ｓ３ａの前縁部に対し前方右側に回動して開閉し得るように支持されている。
【００２７】
物品支持体用カバー体Ｃは、ポリエステル繊維糸からなる基布に塩化ビニル樹脂をコーティングしたシート状材料からなる下方開口の直方体箱形状をなし、左右開閉枠部Ｓ４・Ｓ５が閉じた状態の物品支持体Ｓにおける底盤部Ｓ１から起立構造部Ｓ３の外側及び上側まで覆うものである。
【００２８】
物品支持体用カバー体Ｃの側周部Ｃ２はそれぞれ縦長垂直長方形状をなし、物品支持体Ｓの起立部Ｓ３ａの外側を覆う。物品支持体用カバー体Ｃの天覆部Ｃ１は水平長方形状をなし、起立構造部Ｓ３の上端部により支持される。
【００２９】
物品支持体用カバー体Ｃの側周部Ｃ２の正面部Ｃ２ａにおける左右細長部Ｃ３の内側の下端から上方部までが、横辺が水平状で縦片が垂直状の方形状をなす物品取出用開閉部Ｃ４を構成している。
【００３０】
物品取出用開閉部Ｃ４の上側の横辺は、物品支持体用カバー体Ｃの本体に結合した結合部Ｃ４ａであり、その結合部Ｃ４ａに隣接する二辺が、物品支持体用カバー体Ｃの本体から分離している分離部Ｃ４ｂである。物品取出用開閉部Ｃ４の分離部Ｃ４ｂである両縦辺と、物品支持体用カバー体Ｃの本体の前記左右細長部Ｃ３は、線ファスナＦ（スライドファスナ）により接合及び接合解除可能に構成されている。
【００３１】
物品取出用開閉部Ｃ４は、両分離部Ｃ４ｂと左右細長部Ｃ３がそれぞれ線ファスナＦで接合されて閉じた状態から、両線ファスナＦの接合を解除し、結合部Ｃ４ａを中心として下端部から上向きに開くことができる。これにより、底盤部Ｓ１上の起立構造部Ｓ３の内側に支持した物品を取り出すための物品取出用開口部Ｃ５を側周部Ｃ２の正面部Ｃ２ａに形成することができる。開いた物品取出用開閉部Ｃ４は、天覆部Ｃ１上に掛けることができる。
【００３２】
物品取出用開閉部Ｃ４の上部に、常時開口の横長長方形状の物品投入用開口部Ｃ６を有する。物品取出用開閉部Ｃ４が閉じた状態において物品投入用開口部Ｃ６から物品を内部に投入し得る
【００３３】
物品取出用開閉部Ｃ４における物品投入用開口部Ｃ６よりも下方に、内部のうち少なくとも左右開閉枠部Ｓ４・Ｓ５が閉じた状態の物品支持体Ｓの底盤部Ｓ１上を外部から視認し得るように、無色透明のシート状材料からなる窓状の内方視認部Ｃ７を有する。物品取出用開閉部Ｃ４が閉じた状態において、内方視認部Ｃ７を通じて、物品投入用開口部Ｃ６から投入されて少なくとも物品支持体Ｓの底盤部Ｓ１上に支持されている物品を外部から視認し得る。
【００３４】
物品取出用開閉部Ｃ４における物品投入用開口部Ｃ６と内方視認部Ｃ７の間、及び、物品支持体用カバー体Ｃの側周部Ｃ２の正面部Ｃ２ａにおける物品取出用開閉部Ｃ４の上側に、投入されるべき物品の種類やその他の事項を表示するための文言や図や記号等を表示する表示体Ｄを保持して表示するための表示体保持部Ｃ８（透明シート材料からなるポケット部）を有する。
【００３５】
この物品収容器Ａ（ペットボトル回収器）は、線ファスナＦにより物品取出用開閉部Ｃ４が閉じた状態で、物品投入用開口部Ｃ６から内部に投入されたペットボトルを、底盤部Ｓ１上の起立構造部Ｓ３の内側に支持した状態で収容し得る。
【００３６】
またこの物品収容器Ａは、ペットボトル収容状態又は非収容状態で、自在車輪Ｓ２により被載置面上を容易に移動させることができる。
【００３７】
表示体保持部Ｃ８に、投入されるべき物品の種類やその他の事項を表示するための文言や図や記号等を表示する表示体Ｄを保持して表示することができる。
【００３８】
また、物品取出用開閉部Ｃ４が閉じた状態において、内方視認部Ｃ７を通じて、物品投入用開口部Ｃ６から投入されて少なくとも物品支持体Ｓの底盤部Ｓ１上に支持されている物品を外部から視認し得るので、対象外の投入物が投入されることを抑止すると共に物品取出用開閉部Ｃ４を開かずに収容状態を確認することができる。
【００３９】
底盤部Ｓ１上の起立構造部Ｓ３の内側に支持したペットボトルは、線ファスナＦによる接合を解除して物品取出用開閉部Ｃ４を開くことにより、左右開閉枠部Ｓ４・Ｓ５を左右前方に開いて取り出し得る。
【００４０】
[2] 本発明の実施の形態を、上記以外の形態を含めて更に説明する。
【００４１】
(1) 本発明の物品収容器は、物品支持体と、本発明の物品支持体用カバー体からなる。
【００４２】
(2) 物品支持体は、底盤部と、その底盤部に対し起立した起立構造部であって少なくとも水平方向に相対する起立部を有するものを備え、底盤部上の起立構造部の内側（少なくとも前記水平方向に相対する起立部同士の間）に物品を支持し得る。
【００４３】
(2-1) 対象となり得る物品としては、古新聞、古雑誌、その他の古紙、ペットボトル、その他の回収対象物品を例示することができるが、これに限るものではない。
【００４４】
(2-2) 物品支持体の底盤部は、その底盤部上の起立構造部の内側に対象物品を支持し得るものであり、対象物品に応じて、例えば、板状、格子状、網状等とすることができる。
【００４５】
物品支持体の底盤部の平面視形状は、方形状であることが好ましいがこれに限るものではない。
【００４６】
(2-3) また、物品支持体は、地面、舗装面、床面等の載置面上を転動し得る転動体によって支持されているものであることが好ましい。転動体の例としては、車輪、自在車輪（キャスター）を挙げることができるが、必ずしもこれに限らない。
【００４７】
転動体は、例えば底盤部を支持するものとすることができる他、起立構造部を支持するものとすることもできる。
【００４８】
(2-4) 起立構造部は、好ましくは底盤部の外周縁部において又は底盤部のその他の位置において、底盤部に対し起立したものである。
【００４９】
起立構造部は、底盤部から起立構造部の外側及び上側まで覆った状態のカバー体を、下方開口の箱形状をなす状態で支持し得るものとすることができる。また、起立構造部は、底盤部上の起立構造部の内側に支持された対象物品が、起立構造部を通過して起立構造部の外側へ離脱することを防ぎ得るものとすることができる。
【００５０】
起立構造部は、少なくとも水平方向に相対する起立部を有する。起立構造部の例としては、物品支持体の底盤部上の全部又は部分を水平方向に相対する二方から挟む両起立部（例えば互いに平行な起立部、互いに平行な実質上同一の起立部）のみを有するものの他、物品支持体の底盤部上の全部又は部分を水平方向において三方から囲む互いに隣接した起立部又は互いに分離した起立部を有するもの、物品支持体の底盤部上の全部又は部分を水平方向において四方から囲む互いに隣接した起立部又は互いに分離した起立部を有するものを挙げることができる。起立構造部の内側というのは、少なくとも前記水平方向に相対する起立部同士の間であり、例えば起立部を三方又は四方に有する場合は、それらの起立部により囲まれた内側である。
【００５１】
起立構造部は、底盤部に対し起立した（好ましくは直立状をなす）所定の面に沿って構成されたものとすることができる。起立構造部は、平面視において、方形状の輪郭（好ましくは平面視方形状の底盤部の輪郭）又はその他の多角形若しくは円形若しくはその他の形状の輪郭に沿うものとすることができる。例えば平面視において方形状の輪郭に沿うものである場合は、その方形の相対する二辺若しくは三辺若しくは四辺に沿って起立部を有するものとすることができる。
【００５２】
起立部を有しない辺には、例えば着脱可能な水平バーや開閉可能な扉状部等を設けることができる。
【００５３】
起立構造部の高さは、全体が実質上一定の高さとすることが好ましいが、これに限るものではない。
【００５４】
所定の面に沿って構成される構造体の例としては、柵状体、格子状体、網状体、板状体、枠状体等を挙げることができる。
【００５５】
(2-5) 物品支持体の好適な具体例としては、平面視方形状をなす底盤部が自在車輪又はその他の転動体により支持されており、底盤部の外周縁のうち三辺に沿って一定高さの柵状の起立部が連続的に設けられて起立構造部を構成し、他の一辺には着脱可能な水平バーや開閉可能な扉状部等を設けることができる、所謂かご台車を挙げることができる。
【００５６】
(3) 本発明の物品支持体用カバー体は、物品支持体における底盤部から起立構造部の外側及び上側まで覆うためのものであって、
シート状材料からなる側周部と天覆部により形成された下方開口の箱形状をなし、
前記側周部に、対象とする物品支持体の底盤部から所定の上方部まで開閉し得る物品取出用開閉部と、対象とする物品支持体の底盤部よりも上方に位置する物品投入用開口部を有し、
前記物品支持体を覆って前記物品取出用開閉部が閉じた状態で、物品投入用開口部から物品を内部に投入し得、
前記物品支持体を覆った状態で物品取出用開閉部を開閉し得ると共に物品取出用開閉部を開いて底盤部上の起立構造部の内側に支持した物品を取り出し得る。
【００５７】
(3-1) 物品支持体用カバー体を構成するシート状材料としては、例えば、ポリエステル繊維糸又はナイロン繊維糸等からなる基布に塩化ビニルやその他の合成樹脂をコーティングしたもののように、耐久性、防水性等を備えたものを用いることが好ましいが、これに限るものではない。
【００５８】
(3-2) 物品支持体用カバー体は、物品支持体の起立構造部に適合する形状及び寸法の、側周部と天覆部により形成された下方開口の箱形状とすることにより、物品支持体における底盤部から起立構造部の外側及び上側まで覆うものとすることができ、物品支持体の底盤部から起立構造部の外側及び上側まで覆った状態で、物品収容器を構成する。
【００５９】
物品支持体用カバー体の形状及び寸法は物品支持体の起立構造部に適合するものであるが、例えば、下方開口の直方体若しくは立方体形状、下方開口の円柱形状若しくは楕円柱形状であって、水平断面の対角線（直方体）、直径（円柱）若しくは長径と短径の平均（楕円柱）に対し高さが０．５乃至４倍のものとすることができる。
【００６０】
側周部と天覆部により形成された下方開口の箱形状は、例えば水平断面において方形状をなすものとすることができ、また、水平横断面が何れの高さ位置でも一定（或いは、上部を除いて何れの高さ位置でも一定）とすることができるが、必ずしもこれに限らない。
【００６１】
物品支持体用カバー体が物品支持体の起立構造部（例えば、起立構造部が一定高さで平面視方形状の輪郭の三辺に沿った直立状の面に沿う構造のもの）を覆った状態において、例えば、天覆部は水平状をなし、側周部は垂直状をなすものとすることができるが、何れもこれに限るものではない。
【００６２】
天覆部は起立構造部の上端部により支持されるものとすることができ、側周部の下端部は底盤部の上側の面よりも下方に達するものとすることができ、また、カバー体の下端部又は下方部を（例えば面ファスナ、フック、その他の係止具により）底盤部の側部等に固定し得るものとすることができるが、何れもこれに限るものではない。
【００６３】
(3-3) 物品取出用開閉部は、物品支持体用カバー体の側周部（例えば側周部の正面部）に有し、物品支持体用カバー体が物品支持体を覆った状態で、物品支持体の底盤部から所定の上方部まで開閉し得ると共に物品取出用開閉部を開いて底盤部上の起立構造部の内側に支持した物品を取り出し得る。
【００６４】
物品取出用開閉部は、物品支持体用カバー体の側周部のうち、底盤部上の起立構造部の内側に支持した物品を取り出すための物品取出用開口部を形成すべき所定部分を構成し、物品取出用開閉部の一部（結合部）は物品支持体用カバー体の本体（物品支持体用カバー体のうち物品取出用開閉部を除く部分）に結合し、物品取出用開閉部の他の部分（分離部）は物品支持体用カバー体の本体から分離しており、その結合部を中心として開閉可能なものとすることができる。
【００６５】
この場合、物品取出用開閉部の分離部と物品支持体用カバー体の本体との接合及び接合解除が、線ファスナ（スライドファスナ）、面ファスナ、スナップ、その他の、シート状体同士の所定の線状部に沿った接合及びその解除が接合具により可能なものとすることができる。例えば、物品支持体用カバー体の側周部が垂直状をなす場合において、物品取出用開閉部が、横辺が水平状で縦片が垂直状の方形状をなし、上側の横辺が結合部であり、その結合部に隣接する二辺が分離部であり、下側の横辺は物品支持体用カバー体の下端に位置する場合、分離部である二辺と物品支持体用カバー体の本体を線ファスナにより接合及び接合解除可能なものとすることができる。
【００６６】
物品取出用開閉部は、閉じた状態から、下端部から上向きに開くものとすることができるが、これに限らず、上端部から下向きに開くもの、上下中間位置から上下に開くもの、水平方向一方に開くもの、水平方向中間位置から水平方向両方に開くもの等も可能である。
【００６７】
物品取出用開閉部は、物品支持体用カバー体の側周部の下端に及んで物品取出用開閉部を開いて形成される物品取出用開口部が下方に開放するものとして底盤部上の起立構造部の内側に支持した物品の円滑な取り出しが妨げられないようにすることができる他、物品支持体用カバー体の側周部の下端には及ばないものとすることもできる。
【００６８】
また、物品取出用開閉部は、物品支持体用カバー体の側周部の上端部に及ばないものとすることにより物品取出用開閉部を開いた状態において物品支持体からカバー体が脱離し易くなることが防がれるが、これに限るものではない。
【００６９】
(3-4) 物品投入用開口部は、物品支持体の底盤部よりも上方に位置し、物品支持体用カバー体が物品支持体を覆って物品取出用開閉部が閉じた状態で、物品投入用開口部から物品を内部に投入し得る。
【００７０】
物品投入用開口部は、物品支持体用カバー体の側周部（好ましくは垂直状をなす側周部、例えば側周部の正面部）に設けることができるが、必ずしもこれに限らない。物品投入用開口部の数は１つでよいが、これに限るものではない。
【００７１】
物品取出用開閉部に物品投入用開口部を有するものとして、物品取出用開閉部が閉じた状態において物品投入用開口部から物品を内部に投入し得るものとすることもできる。
【００７２】
物品投入用開口部は、常時開口したものとすることができる他、例えば、少なくとも物品支持体用カバー体の内方側に揺動し得るように上部において支持したシート状材料（又はその他の材料）からなる垂下部により、内部への物品の投入を妨げないように閉じられた状態とすることもできる。
【００７３】
物品投入用開口部は、物品支持体用カバー体の側周部の上端部に及ばないものとすることができるが、これに限るものではない。
【００７４】
(3-5) 側周部（例えば側周部の正面部）における物品投入用開口部よりも下方に、内部のうち少なくとも対象とする物品支持体の底盤部上を外部から視認し得る内方視認部（例えば、無色透明のシート状材料からなる窓状部）を１又は２以上有するものとすることができる。物品支持体用カバー体全体又は大部分を透明とすることもできる。
【００７５】
側周部の物品投入用開口部よりも下方に有する内方視認部を通じて、物品取出用開閉部が閉じた状態において、物品投入用開口部から投入されて少なくとも物品支持体の底盤部上に支持されている物品を外部から視認し得る。
【００７６】
(4) 物品支持体用カバー体、例えばその側周部には、投入されるべき物品の種類やその他の事項を表示するための文言や図や記号等を表示する表示部を設けることや、文言や図や記号等を表示する表示体を保持して表示するための表示体保持部（例えば、透明シートやその他の透視し得る材料からなるポケット部）を有するものとすることができる。
【符号の説明】
【００７７】
Ａ      物品収容器
Ｃ      物品支持体用カバー体
Ｃ１    天覆部
Ｃ２    側周部
Ｃ２ａ  正面部
Ｃ３    細長部
Ｃ４    物品取出用開閉部
Ｃ４ａ  結合部
Ｃ４ｂ  分離部
Ｃ５    物品取出用開口部
Ｃ６    物品投入用開口部
Ｃ７    内方視認部
Ｃ８    表示体保持部
Ｄ      表示体
Ｆ      線ファスナ
Ｓ      物品支持体
Ｓ１    底盤部
Ｓ２    自在車輪
Ｓ３    起立構造部
Ｓ３ａ  起立部
Ｓ４    左開閉枠部
Ｓ５    右開閉枠部
【図１】
2015160625.tif 000003
【図２】
2015160625.tif 000004
【図３】
2015160625.tif 000005
【図４】
2015160625.tif 000006